(57)【特許請求の範囲】
【請求項１】
未登録、立上げ中、登録予備系、および登録現用系の４種類の運用状態のうちのいずれの運用状態であるかを検出する検出手段と、
上記検出手段による検出を登録情報として記憶する記憶手段と、
上記記憶手段に記憶された登録情報に基づいて、未登録ならば消灯、立上げ中ならば点滅、登録予備系ならば瞬時２回消灯、登録現用系ならば点灯で、一つの表示ランプを用いて表示する表示手段とを備えた通信システムの二重系制御装置。
【発明の詳細な説明】
【０００１】
【発明の属する技術分野】
この発明は、通信システムの二重系制御装置に関するものである。
【０００２】
【従来の技術】
図５は従来の通信システムの二重系制御装置における構成の一部を示すブロック図であり、図において、１は通信システムにおいて主信号の入出力を制御するインタフェース部、２は独立してアクセス可能な２つのポートを持つデュアルポートメモリ、３はデュアルポートメモリ２の登録情報を制御する監視制御部、４はインタフェース部１に設けられた表示ランプ、５はクロック部である。
実際の二重系制御装置には、複数のインタフェース部１およびデュアルポートメモリ２が設けられている。
【０００３】
次に動作について説明する。
この二重系制御装置における二重系状態表示方法の動作について説明する。インタフェース部１は、装置に実装されると、内部のＣＰＵによって、まず、立ち上げ処理が動作される。立ち上げ処理終了後、監視制御部３により制御されたデュアルポートメモリ２の登録情報によりインタフェース部１の運用状態に応じた状態を表示する。
図６は従来のランプ表示制御タイミングを示す説明図である。
インタフェース部１の運用状態は、「未登録」「立上げ中」「登録予備系」「登録現用系」の４種類で、それぞれ表示ランプを「消灯」「点滅」「消灯」「点灯」に割り付けることで運用状態を表示する。
監視制御部３は、インタフェース部１に対する登録情報の要求（登録、二重化）が行われる度に、該当のインタフェースに対するデュアルポートメモリ２に情報（登録、二重化）を書き込む。
【０００４】
【発明が解決しようとする課題】
従来の通信システムの二重系制御装置は以上のように構成されているので、インタフェース部１の運用状態が「未登録」および「登録予備系」のいずれの表示においても、ランプ表示が「消灯」となるため、表示が「消灯」の場合、運用状態が「未登録」か「登録予備系」のどちらであるかは判断できないという課題があった。
例えば、ランプ表示が「消灯」となっているインタフェース部１を「未登録」と認識し、利用されていないと判断し抜去すると、「登録予備系」の誤抜去等により二重系制御が機能しなくなる場合も存在する。二重系の運用が定常的に利用されている現在においてはインタフェース部１の運用状態を正しく表示することが重要な課題になっている。
【０００５】
この発明は上記のような課題を解決するためになされたもので、一つのランプを用いて二重系制御装置における４種類の運用状態を差別化して表示する通信システムの二重系制御装置を得ることを目的とする。
【０００６】
【課題を解決するための手段】
この発明に係る通信システムの二重系制御装置は、未登録、立上げ中、登録予備系、および登録現用系の４種類の運用状態のうちのいずれの運用状態であるかを検出する検出手段と、その検出を登録情報として記憶する記憶手段と、その記憶された登録情報が、未登録ならば消灯、立上げ中ならば点滅、登録予備系ならば瞬時２回消灯、登録現用系ならば点灯で、一つの表示ランプを用いて表示する表示手段とを備えたものである。
【０００７】
【発明の実施の形態】
以下、この発明の実施の一形態を説明する。
実施の形態１．
図１はこの発明の実施の形態１による通信システムの二重化制御装置の構成を示すブロック図であり、図において、１１は通信システムにおいて主信号の入出力を制御する複数（１乃至ｎ）のインタフェース部（表示手段）、１２は各インタフェース部１１に対応し、独立してアクセス可能な２つのポートを持つ複数（１乃至ｎ）のデュアルポートメモリ（記憶手段）、１３は各インタフェース部１１の運用状態を検出し、その検出情報に応じてデュアルポートメモリ１２の記憶内容を制御する監視制御部（検出手段）、１４はインタフェース部１１の表示ランプ（表示手段）、１５はクロック部である。
なお、この実施の形態１においては、後述するように、インタフェース部１１および監視制御部１３がデュアルポートメモリ１２にアクセスするタイミングは同期していないので、独立してアクセス可能な２つのポートを持つデュアルポートメモリでなく、通常のメモリを使用することも可能であるが、従来の技術とこの実施の形態１との比較をより明確にするために、図５に示したものと同じデュアルポートメモリを有する二重系制御装置を例に採って説明する。
図２はこの発明の実施の形態１によるランプ表示制御タイミングを示す説明図、図３はこの発明の実施の形態１によるインタフェース部の二重系表示動作を示すフローチャート、図４はこの発明の実施の形態１による監視制御部の二重系表示動作を示すフローチャートである。
【０００８】
次に動作について説明する。
この二重系制御装置における二重系状態表示方法の動作について、図２および図３を参照して説明する。それぞれのインタフェース部１１は、装置実装後に内部のＣＰＵが立ち上げ処理を動作する。この間の運用状態は「立上げ中」であるので、立ち上がり処理完了まで表示ランプ１４を一定周期にて点滅させる（図２のＩＩ、図３のステップＳＴ１，ＳＴ２）。その後、一定時間毎にインタフェース部１１の対応するデュアルポートメモリ１２にアクセスし（図３のステップＳＴ３）、インタフェース部１１の運用状態（登録現用系、登録予備系、未登録）を確認する（図３のステップＳＴ４，ＳＴ５）。
そして、運用状態に基づき、表示ランプ１４の点灯表示を行う。具体的には「登録現用系」の場合は、表示ランプ１４を点灯状態に制御する（図２のＩＶ、図３のステップＳＴ６）。「登録予備系」の場合は、表示ランプ１４を瞬時２回消灯に制御する（図２のＩＩＩ、図３のステップＳＴ７）。これは、予備系ではあるが登録状態にあるので「登録現用系」のランプ表示である点灯に近付けるためである。「未登録」の場合は、表示ランプ１４を消灯状態に制御する（図２のＩ、図３のステップＳＴ８）。
ここで、点灯とは表示ランプ１４を点灯したままの状態に制御し、瞬時２回消灯とは点滅状態の消灯している周期を点灯としその間に瞬時に２回の消灯（周期は点滅周期の１／３とする）制御し、消灯とは表示ランプ１４を消灯したままの状態に制御するものである。
図４は監視制御部１３によるデュアルポートメモリ１２の制御動作を示したものであり、監視制御部１３では、登録要求の有無を判断し、有る場合は、該当インタフェース部１１のデュアルポートメモリ１２の設定内容を更新する。つまり、登録要求が有る場合は登録情報（登録状態）（ステップＳＴ１１〜ＳＴ１３）、二重化要求が有る場合は登録情報（系情報）を該当インタフェース部１１のデュアルポートメモリ１２の設定内容に更新する（ステップＳＴ１４〜ＳＴ１６）。
【０００９】
以上のように、この実施の形態１によれば、通信システムにおける二重系制御装置の運用状態（特に「登録現用系」、「登録予備系」）を正しく表示することができる。
一つの表示ランプ１４により運用状態（未登録、立上げ中、登録予備系、登録現用系）を表示できるため、この発明をシステムに適用するために、表示ランプ１４の追加等新たなコストが発生することがないという効果がある。
【００１０】
【発明の効果】
以上のように、この発明によれば、未登録、立上げ中、登録予備系、および登録現用系の４種類の運用状態のうちのいずれの運用状態であるかを検出する検出手段と、その検出を登録情報として記憶する記憶手段と、その記憶された登録情報が、未登録ならば消灯、立上げ中ならば点滅、登録予備系ならば瞬時２回消灯、登録現用系ならば点灯で、一つの表示ランプを用いて表示する表示手段とを備えるように構成したので、表示手段では一つの表示ランプを用いて４種類の運用状態を差別化して的確に表示することができる効果がある。
【図面の簡単な説明】
【図１】  この発明の実施の形態１による通信システムの二重化制御装置の構成を示すブロック図である。
【図２】  この発明の実施の形態１によるランプ表示制御タイミングを示す説明図である。
【図３】  この発明の実施の形態１によるインタフェース部の二重系表示動作を示すフローチャートである。
【図４】  この発明の実施の形態１による監視制御部の二重系表示動作を示すフローチャートである。
【図５】  従来の通信システムの二重系制御装置における構成の一部を示すブロック図である。
【図６】  従来のランプ表示制御タイミングを示す説明図である。
【符号の説明】
１１  インタフェース部（表示手段）、１２  デュアルポートメモリ（記憶手段）、１３  監視制御部（検出手段）、１４  表示ランプ（表示手段）、１５  クロック部。
【図１】
0004004837.tif 000002
【図２】
0004004837.tif 000003
【図３】
0004004837.tif 000004
【図４】
0004004837.tif 000005
【図５】
0004004837.tif 000006
【図６】
0004004837.tif 000007